(57)【要約】    【課題】車両が走行を開始したときに、ユーザの好みの楽曲を再生できる車載情報端末を提供する。    【解決手段】判定部２において、車両から入力されるＡＣＣ信号、エンジン動作信号および車速信号に基づいて、車両が走行を開始したか否かを判定する。走行を開始したと判定した場合は、設定管理部３に記録されているユーザ設定を読み出して車両制御部４に出力し、車両制御部４において、そのユーザ設定の内容に応じてオーディオ、映像またはエアコンの制御を行う。これにより、車両に備えられたオーディオ装置に対して、それまでに出力されている音声に替えて、予めユーザにより設定された楽曲を再生出力させる。【選択図】図１
2006213118.tif 000002
【特許請求の範囲】
【請求項１】
車両が走行を開始したか否かを判定する判定手段と、
予めユーザにより設定された楽曲を記憶する設定管理手段と、
前記判定手段により車両が走行を開始したと判定された場合、前記車両に備えられたオーディオ装置に対して、それまでに出力されている音声に替えて、前記設定管理手段により記憶された楽曲を再生出力させる車両制御手段とを備えることを特徴とする車載情報端末。
【請求項２】
請求項1の車載情報端末において、
前記車両制御手段が前記オーディオ装置に対して前記設定管理手段により記憶された楽曲を再生出力させたときに、その楽曲の情報を表示する表示手段をさらに備えることを特徴とする車載情報端末。
【発明の詳細な説明】
【技術分野】
【０００１】
本発明は、音楽再生機能を有する車載情報端末に関する。
【背景技術】
【０００２】
ユーザが予め走行経路上に所定の地点とその地点で再生する楽曲とを設定しておくことにより、その地点を通過したときにユーザの好みの楽曲を自動的に再生できるナビゲーション装置が知られている（特許文献１）。
【０００３】
【特許文献１】特開２００２−９０１５５号公報
【発明の開示】
【発明が解決しようとする課題】
【０００４】
特許文献１に開示されるナビゲーション装置では、予め設定した地点を通過したときにしかユーザの好みの楽曲を再生できない。しかし、それ以外に車両が走行を開始したときにも、ユーザの好みの楽曲を再生したいという要望がある。
【課題を解決するための手段】
【０００５】
請求項１の発明による車載情報端末は、車両が走行を開始したか否かを判定する判定手段と、予めユーザにより設定された楽曲を記憶する設定管理手段と、判定手段により車両が走行を開始したと判定された場合、車両に備えられたオーディオ装置に対して、それまでに出力されている音声に替えて、設定管理手段により記憶された楽曲を再生出力させる車両制御手段とを備えるものである。
請求項２の発明は、請求項1の車載情報端末において、車両制御手段がオーディオ装置に対して設定管理手段により記憶された楽曲を再生出力させたときに、その楽曲の情報を表示する表示手段をさらに備えるものである。
【発明の効果】
【０００６】
本発明によれば、車両が走行を開始したか否かを判定し、走行を開始したと判定した場合は、車両に備えられたオーディオ装置に対して、それまでに出力されている音声に替えて、予めユーザにより設定されて記憶された楽曲を再生出力させる。このようにしたので、車両が走行を開始したときに、ユーザの好みの楽曲を再生することができる。
【発明を実施するための最良の形態】
【０００７】
本発明の一実施形態による車載情報端末の機能ブロックを図１に示す。この図に示される車載情報端末１は、車両に搭載されて使用され、車両が走行を開始したことを検出すると、予めユーザにより設定された動作内容、たとえば所定の音楽または映像の再生や、エアコンの温度調節などを自動的に実行するものである。車載情報端末１は、判定部２、設定管理部３および車両制御部４を有している。設定管理部３には、走行開始時に実行する動作内容がユーザ設定として記憶されている。
【０００８】
判定部２は、車両から出力されるＡＣＣ（アクセサリ）信号、エンジン動作信号および車速信号を入力し、それに基づいて車両が走行を開始したか否かを判定する。走行を開始したと判定した場合は、設定管理部３に記録されているユーザ設定を読み出して車両制御部４に出力する。車両制御部４は、そのユーザ設定の内容に応じてオーディオ、映像またはエアコンの制御を行う。たとえば、車両に備えられたオーディオ装置に対して、それまでに出力されているＣＤやラジオ放送などの音声に替えて、ユーザ設定において設定された楽曲を再生出力させる。なお、この楽曲の内容は設定管理部３により記憶されている。あるいは、ビデオ装置を制御してＤＶＤ再生を行ったり、エアコン装置を制御して温度調節を行ったりする。このようにして、車両が走行を開始したときには、予め設定された動作内容を実行する。
【０００９】
図２は、上記に説明したような車載情報端末のうち、走行開始時に所定の音楽を再生するものを例として、その具体的なハードウェア構成例を示した図である。この車載情報端末１は、出発地から目的地までの推奨経路を地図上に表示して車両を目的地まで案内する一般的なナビゲーション機能を有している。さらに加えて、音楽ＣＤから音楽データを取り込んで記録しておき、必要に応じてユーザの好きな音楽を再生出力すると共に、車両の走行開始時には、ユーザ設定において設定された内容に従って、その中の所定の楽曲を自動的に再生出力することができる。
【００１０】
図２の車載情報端末１は、ナビゲーション部１０、判定制御ユニット１１、再生出力部１２、ＨＤＤ１３、ＣＤ／ＤＶＤドライブ１４およびモニタ１５を有している。再生出力部１２には、入力された音声信号を不図示のスピーカへ出力して音声を出力するためのオーディオ装置２０が接続されている。
【００１１】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。なお、現在地検出部１０２には車両からの車速信号が入力されており、これによって現在地検出部１０２は自車両の運動状態を検出することができる。この車速信号は、現在地検出部１０２を介して判定制御ユニット１１にも出力される。
【００１２】
入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１５に車両を目的地まで誘導するための地図表示などを行うことで、車載情報端末１においてナビゲーション機能が実現される。
【００１３】
上記のように、入力操作部１０３を操作して目的地を設定することで、ユーザは車載情報端末１に対してナビゲーション機能の実行を要求することができる。さらにユーザは、入力操作部１０３の操作により、音楽データの記録再生機能の実行を車載情報端末１に対して要求することもできる。音楽データの記録再生機能の要求がユーザによって行われると、その要求内容は判定制御ユニット１１に通知される。なお、入力操作部１０３としては、たとえばモニタ１５と一体化されたタッチパネルや、リモコンなどを用いることができる。
【００１４】
判定制御ユニット１１は、ユーザからの要求に応じて音楽データの記録再生処理を実行する。音楽データの記録を行う場合には、ＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１５】
一方、音楽データの再生を行う場合には、前述のリッピング処理によってＨＤＤ１３に記録された音楽データ、あるいは、ＣＤ／ＤＶＤドライブ１４にセットされた音楽ＣＤに記録された音楽データのいずれかを、楽曲単位で再生することができる。判定制御ユニット１１においてＨＤＤ１３とＣＤ／ＤＶＤドライブ１４のいずれかを制御して音楽データを読み込み、その音楽データを再生出力部１２において音声信号に変換することにより、オーディオ装置２に音声信号が出力されて、スピーカから音楽が再生出力される。なお、このとき音楽ＣＤの再生と並行してリッピング処理を行うこともできる。
【００１６】
また判定制御ユニット１１は、車両の走行開始時に所定の音楽を再生するための処理を実行する。具体的には、判定制御ユニット１１に入力されるＡＣＣ信号、エンジン動作信号および車速信号に基づいて、車両が走行を開始したか否かを判定する。なお、前述のように車速信号は現在地検出部１０２を介して入力される。そして、車両が走行を開始したと判定した場合には、ＨＤＤ１３に記録されている音楽データの中から予めユーザ設定において設定された楽曲の音楽データを抽出し、再生出力部１２に出力する。これにより、オーディオ装置２に所定の楽曲の音声信号が出力されて、スピーカから再生出力される。このようにして、図１の判定部２、設定管理部３および車両制御部４に相当する動作を判定制御ユニット１１において行うことにより、予め設定された音楽を車両走行開始時に再生出力することができる。
【００１７】
次に、ユーザ設定画面の例を図３に示す。ユーザ設定を行うときには、この画面がモニタ１５に表示される。ここでは、走行開始時切替機能として、車両の走行開始時に自動的に実行する動作の内容をユーザが任意に設定することができる。図３の例では、「音楽を再生する」、「映像を再生する」、「エアコンを切り替える」の各動作うち、チェックボックス２１をチェックすることにより、「音楽を再生する」の機能が選択されている様子が示されている。このようにしておくと、判定制御ユニット１１において前述したような処理が実行されて、指定欄２２に表示された「楽曲Ａ」が車両の走行開始時に自動的に再生出力される。なお、指定欄２２に表示する楽曲の名称は、ＨＤＤ１３に音楽データが記録された楽曲の中からユーザが任意に指定することができる。
【００１８】
上記のようにして「楽曲Ａ」を自動的に再生するよう設定しておいたときに、車両の走行開始前と開始後にモニタ１５に表示される画面の例を図４と図５にそれぞれ示す。図４は走行開始前における自車位置マーク２３を道路地図上に表した画面である。車両が走行を開始して自車位置が変化すると、道路地図上の自車位置マーク２３が変化して図５に示す画面が表示される。この画面では音楽再生ウィンドウ２４により、楽曲名「楽曲Ａ」とアーティスト名「アーティストＸ」を表示している。このようにして、走行開始と共に再生出力を開始した楽曲の情報を表示する。
【００１９】
なお、以上の説明はあくまで一例であるため、他の内容の情報を表示することとしてもよい。たとえば、楽曲のアルバム名などを表示してもよいし、ユーザが予め表示する情報の内容を設定しておいてもよい。また、エアコンの温度を調節する場合には、その調節温度などを表示してもよい。これ以外にも、走行開始時に実行する動作内容に合わせて、様々な情報を表示することができる。
【００２０】
以上説明したような処理を図２の車載情報端末１において実行するときのフローチャートを図６に示す。このフローチャートは、判定制御ユニット１１により実行されるものである。ステップＳ１では、車両から入力されるＡＣＣ信号に基づいて、車両のＡＣＣ電源がＯＮであるか否かを判定する。ＡＣＣ信号が入力されていれば、ＡＣＣ電源がＯＮであると判定して次のステップＳ２へ進む。ステップＳ２では、車両から入力されるエンジン動作信号に基づいて、車両のエンジンが始動しているか否かを判定する。エンジン動作信号が入力されていれば、エンジンが始動していると判定して次のステップＳ３へ進む。
【００２１】
ステップＳ３では、ユーザ設定を読み込む。このユーザ設定は、図３のユーザ設定画面によって予め設定されたものである。ステップＳ４では、車速変化カウント値を０にクリアする。この車速変化カウント値は、車速の増加回数をカウントするために記録されている数値であり、車速が増加したときに、後述のステップＳ６においてその値が１つ増加される。
【００２２】
ステップＳ５では、車両から現在地検出部１０２を介して入力される車速信号に基づいて、車速が増加したか否かを判定する。車速が増加した場合は次のステップＳ６へ進み、記録されている車速変化カウント値を１つ増加して、ステップＳ７へ進む。一方、ステップＳ５において車速が増加していないと判定された場合は、ステップＳ６へ進まずにステップＳ５を繰り返す。
【００２３】
ステップＳ７では、車速変化カウント値が１であるか否かを判定する。車速変化カウント値が１である場合はステップＳ８へ進み、１以外の値である場合はステップＳ５へ戻る。ステップＳ８では、ステップＳ３で読み込んだユーザ設定を確認することにより、再生する楽曲を判断する。ステップＳ９では、ステップＳ８のユーザ設定の確認結果に従って、再生出力する音楽を変更する。このとき、ＨＤＤ１３に記録されている音楽データの中から、ユーザ設定において設定されている楽曲の音楽データを抽出して、再生出力部１２へ出力する。ステップＳ９を実行した後は、ステップＳ５へ戻る。以上説明したようにして、車両の走行開始時に予め設定された所定の音楽を再生する。
【００２４】
なお、上記の説明では、ＨＤＤに音楽データを記録しておき、走行開始時にその記録された音楽データを用いて所定の音楽を再生するものについて、具体的な処理内容の例を説明した。しかし、図６のステップＳ９においてラジオ放送出力やＣＤ再生を自動的に行うようにすることで、所定の音楽を出力するようにしてもよい。さらに、図１のように映像やエアコンの制御を行う場合についても、図６のフローチャートによって実現することができる。具体的には、図６のステップＳ１〜Ｓ８の処理を実行することにより車両が走行を開始したか否かを判定した後、ステップＳ９において、再生音楽を変更する替わりに、ＤＶＤ再生などを行って所定の映像を出力したり、車両のエアコン機器を制御して温度調節を行ったりすることができる。
【００２５】
以上説明した実施の形態によれば、次の作用効果が得られる。
（１）判定部２において車両が走行を開始したか否かを判定し、走行を開始したと判定した場合は、車両制御部４において、車両に備えられたオーディオ装置に対して、それまでに出力されている音声に替えて、予めユーザにより設定されて設定管理部３に記憶された楽曲を再生出力させる。具体的には、判定制御ユニット１１において、ＡＣＣ電源がＯＮであるか否かを判定したり（ステップＳ１）、エンジンが始動しているか否かを判定したり（ステップＳ２）、車速が増加したか否かを判定したり（ステップＳ５）、車速変化カウント値が１であるか否かを判定したりする（ステップＳ７）ことにより、車両が走行を開始したか否かを判定する。そして、走行を開始したと判定した場合は、ユーザ設定を確認し（ステップＳ８）、その内容に従って再生出力する音楽を変更する（ステップＳ９）。このようにしたので、車両が走行を開始したときに、ユーザの好みの楽曲を再生することができる。
【００２６】
（２）車両制御部４がオーディオ装置に対して設定管理部３により記憶されている楽曲を再生出力させたときに、モニタ１５において音楽再生ウィンドウ２４を表示することにより、その楽曲の情報を表示することとした。このようにしたので、車両の走行開始と共に再生を開始した楽曲の情報をユーザに知らせることができる。
【００２７】
なお、以上説明した実施の形態では、車両から出力されるＡＣＣ信号、エンジン動作信号および車速信号に基づいて、車両が走行を開始したか否かを判定していた。しかし、その他の方法によって車両が走行を開始したか否かを判定するようにしてもよい。たとえば、タクシーにおいて本発明を適用する場合には、課金を開始するための乗車ボタンを押したときに車両が走行を開始したと判定するようにしてもよい。このようにすれば、乗客を乗せたときに運転手が特に意識することなく、所定の音楽や映像を出力したり、エアコンの温度調節を行ったりすることができる。
【００２８】
また、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００２９】
本発明は上記実施の形態に限定されるものではなく、本発明の技術的思想の範囲内で考えられるその他の態様も、本発明の範囲内に含まれる。
【図面の簡単な説明】
【００３０】
【図１】本発明の一実施形態による車載情報端末の機能ブロック図である。
【図２】車載情報端末のうち走行開始時に所定の音楽を再生するものの具体的なハードウェア構成例を示す図である。
【図３】ユーザ設定画面の例を示す図である。
【図４】車両の走行開始前に表示される画面の例を示す図である。
【図５】車両の走行開始後に表示される画面の例を示す図である。
【図６】車両の走行開始時に予め設定された所定の音楽を再生するときに実行されるフローチャートである。
【符号の説明】
【００３１】
１  車載情報端末
２  判定部
３  設定管理部
４  車両制御部
１０  ナビゲーション部
１１  判定制御ユニット
１２  再生出力部
１３  ＨＤＤ
１４  ＣＤ／ＤＶＤドライブ
１５  モニタ
２０  オーディオ装置
【図１】
2006213118.tif 000003
【図２】
2006213118.tif 000004
【図３】
2006213118.tif 000005
【図４】
2006213118.tif 000006
【図５】
2006213118.tif 000007
【図６】
2006213118.tif 000008